(57)【要約】【課題】  人手による作業をきわめて少なくでき、１つの電動式の伸縮アームで簡単に折り畳み及びリクライニング可能な折り畳みベッドを提供する。【解決手段】  折り畳みベッド１は、電動式駆動機構により作動する伸縮アーム３０により簡単に折り畳むことができるので、折り畳み作業を、人手を掛けることなく簡単に行うことができ、また比較的力のない者も折り畳み作業を容易に行うことができる。さらに、１つの伸縮アーム３０によって折り畳みだけでなくリクライニングも行うことができるので、リクライニングフレームを回動させる機構を別体で設ける必要がない。【選択図】  図２
2005028000.tif 000002
【特許請求の範囲】
【請求項１】
寝具の略半分ずつをその下側からそれぞれ支持する第１及び第２のベッドフレームを、逆Ｖ字状に折り畳み可能な状態に枢着した折り畳みベッドであって、
前記第１のベッドフレームの裏側には下方に延びるアームが固設され、
該アームと前記第２のベッドフレームとが、電動式駆動機構により作動する伸縮自在な伸縮アームによって枢結され、
前記ベッドがその設置面と平行になった水平状態から、前記伸縮アームを縮めることにより前記ベッドが逆Ｖ字状に折り畳まれることを特徴とする折り畳みベッド。
【請求項２】
寝具の略半分ずつをその下側からそれぞれ支持する第１及び第２のベッドフレームを、逆Ｖ字状に折り畳み可能な状態に枢着した折り畳みベッドであって、
前記第１のベッドフレームには、前記両ベッドフレームの枢着部側を回動中心として回動可能で、その裏側に下方に延びるアームが固設されたリクライニングフレームが設けられ、
前記アームと前記第２のベッドフレームとが、電動式駆動機構により作動する伸縮自在な伸縮アームによって枢結され、
前記ベッドがその設置面と平行になった水平状態から、前記伸縮アームを縮めることにより前記ベッドが逆Ｖ字状に折り畳まれ、前記水平状態から、前記伸縮アームを伸ばすことにより前記リクライニングフレームが回動することを特徴とする折り畳みベッド。
【請求項３】
前記両ベッドフレームの裏側間に渡って、前記伸縮アームと平面視で重ならない位置にパイプが設けられ、
当該パイプは、その一端が第２のベッドフレームの裏側に枢着され、他端が第１のベッドフレームの裏側に設けられた第１のパイプ保持具によって摺動可能に保持され、
前記リクライニングフレームの裏側において、側面視で前記第１のパイプ保持具と隣接した位置には、前記水平状態時及びリクライニングフレームの回動時には前記パイプを保持しない第２のパイプ保持具が設けられ、
前記ベッドを逆V字状に折り畳む際、前記両ベッドフレームの各先端部が近付くのに伴って、前記パイプの他端が前記第１のパイプ保持具と摺動しつつ第２のパイプ保持具方向へ移動し、前記パイプの他端が前記第２のパイプ保持具によって常に摺動可能に保持され、前記リクライニングフレームの回動が規制されることを特徴とする請求項２に記載の折り畳みベッド。
【発明の詳細な説明】
【技術分野】
【０００１】
本発明方法は、折り畳みベッドに関し、詳細には、電動式の伸縮アームによって折り畳まれる折り畳みベッドに関する。
【背景技術】
【０００２】
従来から、寝具の半分をそれぞれ下側から支持する２つのベッドフレームを備え、両ベッドフレームを逆Ｖ字状に折り畳み可能に枢着した折り畳みベッドが提案されている。例えば、特許文献１では、２つのベッドフレームを枢着する継ぎ材に設けた中間支脚部の下端と、各ベッドフレームの先端部とをバネで連結した折り畳みベッドが開示されており、この折り畳みベッドは、折り畳みの際に、何れかのベッドフレームの枢着部近傍に設けた取手部を掴んでそのベッドフレームを上方に引き上げると、バネが復元しようとする付勢力が両ベッドフレームに働き、より軽微な力でベッドを水平状態から垂直状態に折り畳むことができるものである。
【特許文献１】特開２００２−１７７０９５号公報
【発明の開示】
【発明が解決しようとする課題】
【０００３】
しかしながら、上記のような従来技術では、ベッドを水平状態から垂直状態に折り畳むには、ベッドフレームに設けた取手部を掴んで上方に持ち上げなければならないので、折り畳み作業には人手が掛かり、特にあまり力のない者がベッドを折り畳むのが困難であるという問題があった。
【０００４】
本発明は、上記課題を解決するためになされたものであり、人手による作業をきわめて少なくでき、１つの電動式の伸縮アームで簡単に折り畳み及びリクライニング可能な折り畳みベッドを提供することを目的とする。
【課題を解決するための手段】
【０００５】
上記目的を達成するために、請求項１に記載の折り畳みベッドは、寝具の略半分ずつをその下側からそれぞれ支持する第１及び第２のベッドフレームを、逆Ｖ字状に折り畳み可能な状態に枢着したものであって、前記第１のベッドフレームの裏側には下方に延びるアームが固設され、該アームと前記第２のベッドフレームとが、電動式駆動機構により作動する伸縮自在な伸縮アームによって枢結され、前記ベッドがその設置面と平行になった水平状態から、前記伸縮アームを縮めることにより前記ベッドが逆Ｖ字状に折り畳まれることを特徴とする。
【０００６】
また、請求項２に記載の折り畳みベッドは、寝具の略半分ずつをその下側からそれぞれ支持する第１及び第２のベッドフレームを、逆Ｖ字状に折り畳み可能な状態に枢着したものであって、前記第１のベッドフレームには、前記両ベッドフレームの枢着部側を回動中心として回動可能で、その裏側に下方に延びるアームが固設されたリクライニングフレームが設けられ、前記アームと前記第２のベッドフレームとが、電動式駆動機構により作動する伸縮自在な伸縮アームによって枢結され、前記ベッドがその設置面と平行になった水平状態から、前記伸縮アームを縮めることにより前記ベッドが逆Ｖ字状に折り畳まれ、前記水平状態から、前記伸縮アームを伸ばすことにより前記リクライニングフレームが回動することを特徴とする。
【０００７】
また、請求項３に記載の折り畳みベッドでは、請求項２に記載の折り畳みベッドの構成に加えて、前記両ベッドフレームの裏側間に渡って、前記伸縮アームと平面視で重ならない位置にパイプが設けられ、当該パイプは、その一端が第２のベッドフレームの裏側に枢着され、他端が第１のベッドフレームの裏側に設けられた第１のパイプ保持具によって摺動可能に保持され、前記リクライニングフレームの裏側において、側面視で前記第１のパイプ保持具と隣接した位置には、前記水平状態時及びリクライニングフレームの回動時には前記パイプを保持しない第２のパイプ保持具が設けられ、前記ベッドを逆V字状に折り畳む際、前記両ベッドフレームの各先端部が近付くのに伴って、前記パイプの他端が前記第１のパイプ保持具と摺動しつつ第２のパイプ保持具方向へ移動し、前記パイプの他端が前記第２のパイプ保持具によって常に摺動可能に保持され、前記リクライニングフレームの回動が規制されることを特徴とする。
【発明の効果】
【０００８】
請求項１に係る発明の折り畳みベッドでは、第１のベッドフレームの裏側には下方に延びるアームが固設され、該アームと第２のベッドフレームとが、電動式駆動機構により作動する伸縮自在な伸縮アームによって枢結され、ベッドがその設置面と平行になった水平状態から、伸縮アームを縮めることにより前記ベッドが逆Ｖ字状に折り畳まれる。これにより、電動式駆動機構を作動させるだけでベッドを簡単かつ楽に折り畳むことができ、人手による作業をきわめて少なくすることができる。
【０００９】
また、請求項２に係る発明の折り畳みベッドでは、第１のベッドフレームには、両ベッドフレームの枢着部側を回動中心として回動可能で、その裏側に下方に延びるアームが固設されたリクライニングフレームが設けられ、アームと第２のベッドフレームとが、電動式駆動機構により作動する伸縮自在な伸縮アームによって枢結され、ベッドが、設置面と平行になった水平状態から、伸縮アームを縮めることにより逆Ｖ字状に折り畳まれ、水平状態から伸縮アームを伸ばすことによりリクライニングフレームが回動する。これにより、１つの伸縮アームをもってリクライニングフレームの回動とベッドの折り畳みとを行うことができ、また、電動でベッドを折り畳むことができるので、折り畳み作業を簡単かつ楽にすることができる。
【００１０】
また、請求項３に係る発明の折り畳みベッドでは、請求項２に記載の発明の効果に加えて、両ベッドフレームの裏側間に渡って、伸縮アームと平面視で重ならない位置にパイプが設けられ、パイプは、その一端が第２のベッドフレームの裏側に枢着され、他端が第１のベッドフレームの裏側に設けられた第１のパイプ保持具によって摺動可能に保持され、リクライニングフレームの裏側において、側面視で第１のパイプ保持具と隣接した位置には、水平状態時及びリクライニングフレームの回動時にはパイプを保持しない第２のパイプ保持具が設けられ、ベッドを逆V字状に折り畳む際、両ベッドフレームの各先端部が近付くのに伴って、パイプの他端が第１のパイプ保持具と摺動しつつ第２のパイプ保持具方向へ移動し、パイプの他端が第２のパイプ保持具によって常に摺動可能に保持され、リクライニングフレームの回動が規制される。ベッドの折り畳み時には、側面視で伸縮アームの伸縮方向と、アームと伸縮アームとの枢着点と、リクライニングフレームの回動中心とが一直線上に並んだ状態となった以後、ベッドを最終的に逆Ｖ字状に折り畳むまでの間、伸縮アームが縮む方向に力が働くことによってリクライニングフレームに起き上がろうとする力が働くが、パイプが第２のパイプ保持具に保持されることにより、リクライニングフレームの起き上がりを防止することができる。
【発明を実施するための最良の形態】
【００１１】
以下、本発明を具体化した折り畳みベッドの第１の実施形態について、図を参照して説明する。尚、本実施形態では、リクライニングフレームを備え、リクライニング機能を持った折り畳みベッドを例に挙げて説明する。まず、図１及び２を参照して、折り畳みベッド１の構造について説明する。ここで、図１は折り畳みベッド１の平面図であり、図２は同側面図である。図１及び図２に示すように、折り畳みベッド１（以下、単に「ベッド１」という。）は、何れも平面視略コの字型の第１のベッドフレーム５及び第２のベッドフレーム１０が互いの開口側端部を対向させた状態で継ぎ材２０によって枢着され、その上に、自身長さ方向略中央部で折れ曲がり可能な寝具５０が載置されて構成されている。詳しくは、第１のベッドフレーム５は、ベッド１の長さ方向に延びた一対の長さ方向成分５ａ，５ａと、この長さ方向成分５ａ，５ａの端部間に渡って延びる幅方向成分５ｂとを備えたコの字型形状であり、第２のベッドフレーム１０も同様に、ベッド１の長さ方向に延びた一対の長さ方向成分１０ａ，１０ａと、この長さ方向成分１０ａ，１０ａの端部間に渡って延びる幅方向成分１０ｂとを備えたコの字型形状である。
【００１２】
第１のベッドフレーム５の長さ方向成分及び幅方向両成分が交差する角部近傍からは、それぞれ下方に向かってベッド１を下側から支持する脚部６，６が延出している。各脚部６の先端には、フレームの長さ方向に離間して配置された２つの車輪７，７を備えたキャスター部材８が設けられている。また、第２のベッドフレーム１０の長さ方向成分及び幅方向両成分が交差する角部近傍からは、それぞれ下方に向かってベッド１を下側から支持する脚部１１，１１が延出している。各脚部１１の先端には、フレームの長さ方向に離間して配置された２つの車輪１２，１２を備えたキャスター部材１３が設けられており、このキャスター部材８及び１３を介してベッド１は設置面（図示外）上をスムーズに移動できるようになっている。尚、第１のベッドフレーム５の脚部６同士の間隔よりも、第２のベッドフレーム１０の脚部１１同士の間隔の方が狭くなっており、これにより、後述するベッド１の折り畳み時に、両キャスター部材を干渉させることなく、かつ両ベッドフレームを接近させて折り畳むことができるようになっている。
【００１３】
そして、第１のベッドフレーム５の両長さ方向成分５ａ，５ａ先端と第２のベッドフレーム１０の両長さ方向成分１０ａ，１０ａ先端とがピンＰ１を介して継ぎ材２０で枢着されている。また、継ぎ材２０の下側には、下方に開口した略コの字型に形成された中間脚部２５が設けられている。中間脚部２５は、一対となった継ぎ材２０間に渡って幅方向に延びる水平枠材２５ａとこの水平枠材２５ａの両端部から下方に延びた２つの鉛直枠材２５ｂとから構成されており、上述の脚部６及び脚部１１と共に、両ベッドフレームを下側から支えている。
【００１４】
また、第１のベッドフレーム５上方の寝具５０内には、この寝具５０と一体となって回動可能なリクライニングフレーム１５が設けられている。リクライニングフレーム１５は、寝具５０内において、第１のベッドフレーム５の長さ方向成分５ａ，５ａと平行に延びる一対の長さ方向成分１５ａ，１５ａと、両長さ方向成分１５ａ間の略中央部でこれらと平行に延びる中間成分１５ｂと、以上各成分の端部を連結するようにベッド１の幅方向に延びる第１の幅方向成分１５ｃ及び第２の幅方向成分１５ｄとから構成されている。長さ方向成分１５ａ，１５ａは、それぞれ第１のベッドフレーム５の長さ方向成分５ａ，５ａにその上方内側で近接し、第１、第２の幅方向成分１５ｃ，１５ｄは、それぞれ第１のベッドフレーム５の基端側（枢着部側）及び先端側に位置しており、リクライニングフレーム１５は、略日の字形状を有している。
【００１５】
第１のベッドフレーム５上方の寝具５０内には、さらにリクライニングフレーム１５に隣接して略長方形のフレーム５１が設けられている。フレーム５１は、両ベッドフレームの枢着部近傍でベッド１の幅方向に延びる幅方向成分５１ａと、当該幅方向成分５１ａの両端部から、第１のベッドフレーム５の長さ方向成分５ａ，５ａの上側でそれぞれリクライニングフレーム１５方向に延びる長さ方向成分５１ｂ，５１ｂとから構成された略コの字型形状を有し、両長さ方向成分５１ｂ，５１ｂを介して第１のベッドフレーム５に固設されている。そして、両長さ方向成分５１ｂ，５１ｂの先端部が、リクライニングフレーム１５の両長さ方向成分１５ａ，１５ａの先端部の外側に隣接した状態で両部材の各先端部がピンＰ２によって枢着されることで、フレーム５１に対してリクライニングフレーム１５が回動可能となっている。
【００１６】
詳細には、リクライニングフレーム１５は、両ベッドフレームの枢着部から第１のベッドフレーム５先端方向に向かい、第１のベッドフレーム５の長さ方向成分５ａの長さの略３分の１進んだ箇所を回動中心として回動可能となっており、具体的には、第２のベッドフレーム１０方向に下傾した所定角度だけ回動可能となっている。尚、本実施の形態では、寝具５０とリクライニングフレーム１５とを一体としているが、リクライニングフレーム上に寝具を載せて両者を別体として、寝具が起き上がるようにしてもよい。
【００１７】
また、リクライニングフレーム１５の中間成分１５ｂの裏側には、第２のベッドフレーム１０方向に向かって延びる長尺板状のアーム１６が設けられており、該アーム１６の先端部１６ａが、側面視で、ピンＰ２と両ベッドフレームの枢着部間の領域に位置している。アーム１６の先端部１６ａには、第２のベッドフレーム１０の幅方向成分１０ｂの略中央部に一端が回動可能に取り付けられた伸縮アーム３０の他端３０ｂがピンＰ３によって枢着されている。詳しく図示しないが、伸縮アーム３０は、電動機３５、出力軸、ギア及びホイール等の部品を備えた電動式駆動機構により作動するものであり、固定外筒３１に対してスライドパイプ３２が相対的に進退することによって伸縮するようになっている。
【００１８】
そして、ベッド１が水平な状態から、図３に示すように、伸縮アーム３０を、その固定外筒３１からスライドパイプ３２を引き出すように伸ばすことにより、リクライニングフレーム１５の裏側に設けられたアーム１６の先端１６ａが左側下方に移動するように押され、それに伴ってリクライニングフレーム１５及び寝具５０が起き上がることになる。また、その状態から伸縮アーム３０の固定外筒３１にスライドパイプ３２を収容するように縮めることにより、リクライニングフレーム１５の裏側に設けられたアーム１６の先端１６ａが右側上方に移動するように引き戻され、ベッド１は元の水平状態に戻ることになる。
【００１９】
ベッド１が水平状態となった（図２参照）後、さらに伸縮アーム３０を縮めていくと、図４及び図５に示すように、第１のベッドフレーム５及び第２のベッドフレーム１０は、共に逆Ｖ字形状を形成すべく、継ぎ材２０により枢着された部分を中心にそれぞれ各先端部が近付くように回動していく。このとき、各ベッドフレームに取り付けられた脚部はそれぞれベッドフレームに対して回動可能となっており、常に車輪が設置面（図示外）に接した状態で折り畳みを行うことができるようになっている。さらに伸縮アーム３０を縮めていくと、図６に示すように、第１のベッドフレーム５の一対の脚部６，６間に、第２のベッドフレーム１０の一対の脚部１１，１１が挟まれた状態になるまで入り込み、側面視で両キャスター部材がラップするまで各ベッドフレームの先端部同士が近付くことになる。
【００２０】
以上説明したように、本実施形態の折り畳みベッド１では、電動式駆動機構により作動する伸縮アーム３０により簡単に折り畳むことができるので、折り畳み作業を、人手を掛けることなく簡単に行うことができ、また比較的力のない者も折り畳み作業を容易に行うことができる。さらに、１つの伸縮アーム３０によって折り畳みだけでなくリクライニングも行うことができるので、リクライニングフレームを回動させる機構を別体で設ける必要がない。
【００２１】
次に、第２の実施形態の折り畳みベッド１００について図を参照して詳述する。上記した第１の実施形態では、伸縮アーム３０を縮めてベッド１を折り畳む際、図４に示す、側面視で、伸縮アーム３０の伸縮方向と、ピンＰ２（フレーム５１とリクライニングフレーム１５との枢着部）と、ピンＰ３（アーム１６の先端部１６ａと伸縮アーム３０との枢着部）とが一直線上に並んだ状態となった以後は、伸縮アーム３０が縮もうとする力が、ピンＰ３を挟んでリクライニングフレーム１５に伝えられ、ピンＰ２を中心としてリクライニングフレーム１５が起き上がろうとする力として作用するため、リクライニングフレーム１５が起き上がろうとする力を人手等によって押さえる必要がある。そのため、この第２の実施形態では、伸縮アーム３０の伸縮に伴って上記起き上がり力を抑制できるようにした折り畳みベッドについて説明する。尚、第２の実施形態では、第１の実施形態の折り畳みベッド１と同じ部材には同符号を付けてある。
【００２２】
図７及び図８に示すように、第２の実施形態の折り畳みベッド１００（以下、単に「ベッド１００」という。）では、第１のベッドフレーム５と第２のベッドフレーム１０との間に渡ってパイプ７０が設けられている点で第１の実施形態の折り畳みベッド１とは構造が異なっており、それ以外の構成は第１の実施形態の折り畳みベッド１と共通している。本実施の形態では、第２のベッドフレーム１０の両ベッドフレーム枢着部側に、さらにもう１つの幅方向成分１０ｃが設けられている。幅方向成分１０ｃは、幅方向成分１０ｂと平行に延び、その裏側の伸縮アーム３０近傍の位置には、両ベッドフレーム間に渡設されたパイプ７０の一端を回動可能に保持する取り付け部材６５が設けられている。パイプ７０の他端は、後述するパイプ保持具によって第１のベッドフレーム５の裏側で保持されており、パイプ７０は、平面視で伸縮アーム３０と常に平行となるような状態で渡設されている。
【００２３】
パイプ７０は、第１のベッドフレーム５方向に向かって延びており、側面視で、その先端７０ａがアーム１６を越えて第１のベッドフレーム５の脚部６近傍にまで延びている。そして、パイプ７０の先端７０ａは、第１のベッドフレーム５の長さ方向成分５ａ，５ａ間に渡って幅方向成分５ｂ寄りの位置にさらに設けられた幅方向成分５ｃの裏側において、第１のパイプ保持具７５によって摺動可能な状態に保持されている。この第１のパイプ保持具７５は、幅方向成分５ｃの裏側に設けられており、図示しないが、パイプ７０の径と略同じ長さだけ離間して下方に延びた２本の鉛直部と、両鉛直部の下端を半円状に連結し、パイプ７０の下側周面を支持する半円支持部とから構成されたリング状となっている。そして、パイプ７０は、ベッド１００が水平な状態では、その両端が取り付け部材６５と第１のパイプ保持具７５とによって保持されて、ベッド１００の設置面（図示外）と略平行な状態となっている。
【００２４】
また、図７及び図９に示すように、リクライニングフレーム１５の裏側には、第１のパイプ保持具７５と略同一形状で、該保持具７５と協働してパイプ７０を保持する第２のパイプ保持具７６が設けられている。この第２のパイプ保持具７６は、リクライニングフレーム１５の長さ方向成分１５ａ，１５ａ間において、第２の幅方向成分１５ｄ寄りの位置にさらに設けられた第３の幅方向成分１５ｅの裏側に設けられており、ベッド１００を正面視もしくは背面視したときに、第１のパイプ保持具７５と重なる位置に設けられている。この第２のパイプ保持具７６は、第１のパイプ保持具７５と隣接して位置し、ベッド１００が水平状態のときはパイプ７０とは一切干渉しないが、後述するように、伸縮アーム３０が縮んだ際には、パイプ７０の先端７０ａが第１のパイプ保持具７５と摺動して、第２のパイプ保持具７６にも保持されるようになっている。ただし、リクライニングフレーム１５の起き上がり時には、第１のベッドフレーム５と第２のベッドフレーム１０とは水平状態を保っているので、パイプ７０がリクライニングフレーム１５の起き上がりの邪魔になることはない。
【００２５】
ベッド１００は、第１の実施形態の折り畳みベッド１と同様に電動式の伸縮アーム３０によってリクライニング及び折り畳みが行われることになる。図９に示すように、伸縮アーム３０の固定外筒３１からスライドパイプ３２を引き出すように伸ばすことにより、リクライニングフレーム１５の裏側に設けられたアーム１６の先端１６ａが左側下方に移動するように押され、それに伴ってリクライニングフレーム１５及び寝具５０が起き上がることになる。また、伸縮アーム３０の固定外筒３１にスライドパイプ３２を収容するように縮めることにより、リクライニングフレーム１５の裏側に設けられたアーム１６の先端１６ａが右側上方に移動するように引き戻され、ベッド１００は元の水平状態に戻ることになる。
【００２６】
また、図１０に示すように、ベッド１００の水平状態からさらに伸縮アーム３０を縮めることにより、第１のベッドフレーム５と第２のベッドフレーム１０とは共に逆Ｖ字形状を形成すべく、継ぎ材２０により枢着された部分を中心にそれぞれ各先端部が近付くように回動していく。両ベッドフレームの先端部が近付くことにより、水平状態で第１のパイプ保持具７５にのみ保持されていたパイプ７０の先端部７０ａが、第１のベッドフレーム５の先端部（図中左側端部）方向に移動して、第２のパイプ保持具７６にも保持されることになる。図１０に示す状態（伸縮アーム３０の伸縮方向と、ピンＰ２（フレーム５１とリクライニングフレーム１５との枢着部）と、ピンＰ３（アーム１６の先端部１６ａと伸縮アーム３０との枢着部）とが一直線上に並んだ状態）以後は、ベッド１００の折り畳みに伴って、パイプ７０の先端部７０ａが、第１のパイプ保持具７５と摺動しつつ、さらに第１のベッドフレーム５の先端部方向に移動することになる。
【００２７】
そして、図示しないが、さらに伸縮アーム３０を縮めていくことによって、パイプ７０の先端部７０ａが、第１のベッドフレーム５の先端部方向にさらに移動して、第１のパイプ保持具７５及び第２のパイプ保持具７６に保持された状態で、第１のベッドフレーム５の一対のキャスター部材８，８間に、第２のベッドフレーム１０の一対のキャスター部材１３，１３が挟まれた状態になるまで入り込み、側面視で両脚部がラップするまで各ベッドフレームの先端部同士が近付いて折り畳みが完了することになる。
【００２８】
以上説明したように、本実施の形態の折り畳みベッド１００では、電動式駆動機構により作動する伸縮アーム３０により簡単に折り畳むことができる等の第１の実施形態の折り畳みベッド１で得られた効果に加え、ベッド１００の折り畳み時に、両ベッドフレーム間に渡設したパイプ７０が常に第２のパイプ保持具７６に保持されることにより、リクライニングフレーム１５の回動が規制されるので、リクライニングフレーム１５が起き上がってしまうことがない。従って、リクライニングフレーム１５が起き上がろうとする力を人手等によって押さえる必要がなく、より簡単に折り畳み作業を行うことができるという効果を得ることができる。
【００２９】
尚、本発明は前記実施の形態に限定されるものではなく、各種の変形が可能である。例えば、本実施の形態の折り畳みベッドは、リクライニングフレームを備えリクライニング可能なものとしたが、リクライニング機能を備えず折り畳みのみ可能なベッドに対して上記したような伸縮アームを用いてもよい。この場合、第１のベッドフレームの裏側に、伸縮アームの一端が取り付けられるアームを設けることになる。また、リクライニング機能を備えた折り畳みベッドに関し、リクライニングフレームは、本実施の形態のような日の字型形状のものに限られず、高剛性化、軽量化等の目的に応じて様々な形状のものを用いることができ、またリクライニングフレームと寝具とを一体とする必要もない。
【００３０】
さらに、伸縮アーム両端部の取り付け位置、パイプ両端部の取り付け位置は、本実施の形態で例示した位置に限られず、折り畳みに支障がない程度であれば適宜変更が可能であり、その数も変更可能である。また、リクライニングフレームの回動を防止する機構は、本実施形態のようにパイプを用いたものに限られない。加えて、リクライニングフレームの裏側に設けたアームの形状は、本実施の形態で示したように、必ずしも第２のベッドフレーム方向に伸ばす必要はない。例えば、図１１に示すように、ベッド１０１が水平な状態で、リクライニングフレーム１５の裏側に、鉛直下方に向かって延びるようにアーム１１５を設けてもよい。この場合、当然ながらリクライニングフレーム１５の回動可能角度は小さくなるが、アーム１１５の形状を簡単にすることができる。
【図面の簡単な説明】
【００３１】
【図１】第１実施形態の折り畳みベッド１の平面図である。
【図２】折り畳みベッド１の側面図である。
【図３】折り畳みベッド１のリクライニングフレーム１５が起き上がった状態を示す側面図である。
【図４】折り畳みベッド１が折り畳まれる過程を示す側面図である。
【図５】折り畳みベッド１が折り畳まれる過程を示す側面図である。
【図６】折り畳みベッド１が完全に折り畳まれた状態を示す側面図である。
【図７】第２実施形態の折り畳みベッド１００の平面図である。
【図８】折り畳みベッド１００の側面図である。
【図９】折り畳みベッド１００のリクライニングフレーム１５が起き上がった状態を示す側面図である。
【図１０】折り畳みベッド１００が折り畳まれる過程を示す側面図である。
【図１１】鉛直下方に延びるアーム１１５を備えたベッド１０１の側面図である。
【符号の説明】
【００３２】
１    折り畳みベッド
５    第１のベッドフレーム
１０    第２のベッドフレーム
１５    リクライニングフレーム
１６    アーム
３０    伸縮アーム
３５    電動機
６５    取り付け部材
７０    パイプ
７５    第１のパイプ保持具
７６    第２のパイプ保持具
１００    折り畳みベッド
【図１】
2005028000.tif 000003
【図２】
2005028000.tif 000004
【図３】
2005028000.tif 000005
【図４】
2005028000.tif 000006
【図５】
2005028000.tif 000007
【図６】
2005028000.tif 000008
【図７】
2005028000.tif 000009
【図８】
2005028000.tif 000010
【図９】
2005028000.tif 000011
【図１０】
2005028000.tif 000012
【図１１】
2005028000.tif 000013